(57)【要約】      （修正有）【課題】外箱と内箱でキャビネットが構成された冷蔵庫内壁面からのヒートリークを抑制した冷蔵庫を提供する。【解決手段】冷蔵庫１０は、外箱１４と内箱１６でキャビネット１２が構成されており、冷気の侵入を妨げる空気断熱層４０を内箱１６の内壁面１６ｂとの間の複数の部位にそれぞれ複数の層で形成する断熱層形成部材４２を複数備えるとともに、冷気ダクト２４の内側に空気断熱層４０が形成されている。また真空断熱材を覆うように断熱層形成部材４２を配置してもよい。【選択図】図１
2015114055.tif 000002
【特許請求の範囲】
【請求項１】
外箱と内箱でキャビネットが構成された冷蔵庫であって、
冷気の侵入を妨げる空気断熱層を前記内箱の内壁面との間に形成する断熱層形成部材を備えたことを特徴とする冷蔵庫。
【請求項２】
前記内箱の内壁面をダクト壁面の一部としている冷気ダクトを備え、
前記冷気ダクトの内側に前記断熱層形成部材が配置されていることにより前記内壁面との間に前記空気断熱層が形成されていることを特徴とする請求項１記載の冷蔵庫。
【請求項３】
冷蔵庫内を開閉する扉の内側に前記断熱層形成部材が配置されていることにより前記内壁面との間に前記空気断熱層が形成されていることを特徴とする請求項１記載の冷蔵庫。
【請求項４】
前記空気断熱層が前記内箱の複数の部位にそれぞれ形成されてなる複数の層で構成されるように、前記断熱層形成部材が複数配置されていることを特徴とする請求項１記載の冷蔵庫。
【請求項５】
前記内箱と前記外箱との間に真空断熱材が設けられ、前記真空断熱材を覆うように前記断熱層形成部材が配置されていることを特徴とする請求項１記載の冷蔵庫。
【請求項６】
前記冷気ダクトの吹出し口は、吹き出した冷気が前記内箱の内壁に向かわない向きとなるように配置されていることを特徴とする請求項１記載の冷蔵庫。
【請求項７】
前記空気断熱層が密閉されていることを特徴とする請求項１〜６のいずれか１項記載の冷蔵庫。
【発明の詳細な説明】
【技術分野】
【０００１】
本発明の実施形態は、外箱と内箱でキャビネットが構成された冷蔵庫に関する。
【背景技術】
【０００２】
近年の冷蔵庫では、上部に使用頻度の高い冷蔵室を配置し、下部に冷凍室を配置したレイアウトにすることが多い。
【０００３】
このようなレイアウトでは、冷凍室の背部に形成された冷却室に蒸発器が配置され、蒸発器によって発生した冷気を冷却室から冷蔵室背部にダクトで送給して循環させることにより冷蔵室全体を冷却する構成にされていることが多い。
【先行技術文献】
【特許文献】
【０００４】
【特許文献１】特許第４２１８７４２号公報
【発明の概要】
【発明が解決しようとする課題】
【０００５】
ところで、冷気を循環させる上記のダクトでは、冷蔵庫の内箱表面がダクト壁面の一部を形成している。このため、ダクトを形成する内箱表面が冷蔵庫内の強制対流の空気にさらされることにより熱交換が促進され、ヒートリークが大きく、省エネの妨げになっている。
【０００６】
本発明は上記課題に鑑みてなされたものであり、冷蔵庫内壁面からのヒートリークを抑制した冷蔵庫を提供することを課題とする。
【課題を解決するための手段】
【０００７】
本発明の実施形態に係る冷蔵庫は、外箱と内箱でキャビネットが構成された冷蔵庫であって、冷気の侵入を妨げる空気断熱層を内箱の内壁面との間に形成する断熱層形成部材を備える。
【図面の簡単な説明】
【０００８】
【図１】実施形態に係る冷蔵庫の構成を示す側面断面図である。
【図２】実施形態に係る冷蔵庫の構成を示す正面断面図である。
【図３】実施形態に係る冷蔵庫の構成を示す平面断面図である。
【発明を実施するための形態】
【０００９】
以下、添付図面を参照して、実施形態に係る冷蔵庫について説明する。図１は、一実施形態（以下、本実施形態という）に係る冷蔵庫の構成を示す側面断面図である。図２は、本実施形態に係る冷蔵庫の構成を示す正面断面図（正面に平行な垂直面に沿った断面図）である。図３は、本実施形態に係る冷蔵庫の構成を示す平面断面図である。
【００１０】
（全体構成）
本実施形態に係る冷蔵庫１０は、冷蔵庫本体であるキャビネット１２を備えている。キャビネット１２は、金属製の外箱１４と、樹脂製の内箱１６とで構成されている。外箱１４と内箱１６との間には断熱材（ウレタンなど）１８が充填されている。
【００１１】
本実施形態の冷蔵庫１０には種々の操作機能が設けられていてもよく、例えば、冷蔵庫１０の扉２０の前面板の裏側には、前面板の表からのタッチ操作により冷蔵庫の冷却動作を操作するための静電容量式の操作入力部が取り付けられている。この操作入力部には、冷蔵庫周囲の環境状態を検出するための赤外線受光部、ホームボタン、このホームボタンへのタッチを検知し、操作ボタン名、冷却機能名、冷却強度等を透過表示するＬＥＤ表示灯、温度値等の変化する数値を透過表示する７セグメントＬＥＤ表示装置等が設けられている。
【００１２】
冷蔵庫内（以下、適宜に庫内という）すなわち内箱１６内には冷気ダクト２４が設けられている。この冷気ダクト２４内には、周囲の空気を冷却する蒸発器２６と、蒸発器２６の上流側に配置された吸込み口２８と、蒸発器２６の下流側に配置されたファン３０と、ファン３０の下流側に配置された吹出し口３２とが設けられている。
【００１３】
この構成により、冷気ダクト２４は、ファン３０の上流側が吸込ダクト２４ｂで、ファン３０の下流側が吹出ダクト２４ｊになっている。そして、ファン３０が回転することによって、庫内の空気は、吸込み口２８から吸引されて吸込ダクト２４ｂを流れ、蒸発器２６の周囲を経由して冷却され、ファン３０あるいはファン３０の周囲を経由して吹出ダクト２４ｊを流れ、吹出ダクト２４ｊの所定箇所で開口している吹出し口３２から庫内に吹き出されるようになっている。
【００１４】
図２、図３に示すように、冷気ダクト２４は、内箱１６の内壁面１６ｊ、１６ｂをダクト壁面の一部として利用できる構成となるように、内壁面１６ｊ、１６ｂに平行な平板部３６と、平板部３６の両サイドからそれぞれ内壁面１６ｊ側に延び出す側板部３８（３８ｐ、３８ｑ）とで構成されている。
【００１５】
（空気断熱層）
吹出ダクト２４ｊの内側には、内壁面１６ｊに沿った空間である空気断熱層４０ｊが形成されるように断熱層形成部材４２ｊが配置されている。本実施形態では、断熱層形成部材４２ｊはシート状部材で構成されているが、内壁面１６ｊに沿った空間が形成される限り、断熱層形成部材４２ｊの材質、寸法などは特に限定しない。
【００１６】
断熱層形成部材４２ｊの両サイドには、断熱層形成部材４２ｊを固定するリブ状の固定部材４４が設けられており、固定部材４４が空気断熱層４０ｊの両サイドを封止している。
【００１７】
更に、本実施形態では、空気断熱層４０ｊを複数の空間に区分けるように、リブ状の区分け部材４６が固定部材４４と平行に複数本配置されている。
【００１８】
本実施形態では、断熱層形成部材は吹出ダクト２４ｊ以外の主だった部位にも配置されている。
【００１９】
具体的には、図１に示すように、吸込ダクト２４ｂの内側で、内箱１６の内壁面１６ｂに沿って空気断熱層４０ｂが形成されるように、断熱層形成部材４２ｂが配置されている。そして、蒸発器２６に隣接する内箱１６の内壁面１６ｅに沿って空気断熱層４０ｅが形成されるように、断熱層形成部材４２ｅが配置されている。
【００２０】
また、図２、図３に示すように、扉２０の内壁面１６ｆに沿って空気断熱層４０ｆが形成されるように断熱層形成部材４２ｆが配置され、内箱１６を構成する天井５０の内壁面１６ｔに沿って空気断熱層４０ｔが形成されるように断熱層形成部材４２ｔが配置されている。
【００２１】
更には、内箱１６を構成する底部５２の内壁面１６ｘに沿って空気断熱層４０ｘが形成されるように断熱層形成部材４２ｘが配置され、内箱１６を構成する側部５４の内壁面１６ｓに沿って空気断熱層４０ｓが形成されるように断熱層形成部材４２ｓが配置されている。
【００２２】
そして、空気断熱層４０ｂ、４０ｆ、４０ｔ、４０ｘ、４０ｓにも、空気断熱層４０ｊと同様にリブ状の固定部材４４、７４や区分け部材４６、７６が必要に応じて各寸法に合わせて配置されている。なお、扉２０の冷蔵庫内側の周囲にはガスケット６０（図１参照）が配置されている。
【００２３】
（作用、効果）
以下、本実施形態の作用、効果を説明する。ファン３０は、断熱層形成部材４２ｊと吹出ダクト２４ｊの平板部３６および側板部３８とによって区画された空間である吹出ダクト主空間２４ｍに、ファン上流側の蒸発器２６によって冷却された冷気を送り出す。このように冷気を強制対流で流しても、断熱層形成部材４２ｊが配置されていることにより、断熱層形成部材４２ｊの内壁面１６ｊ側に形成されている空気断熱層４０ｊでは、強制対流による気流が生じることが大きく抑制される。従って、吹出ダクト２４ｊ内で内壁面１６ｊからのヒートリークを従来に比べて大幅に抑えることができる。
【００２４】
また、リブ状の固定部材４４によって、空気断熱層４０ｊの両サイドが封止されているので、空気断熱層４０ｊで強制対流による気流が生じることが更に抑えられている。
【００２５】
そして、吸込ダクト２４ｂの内側で内壁面１６ｂに沿って形成された空気断熱層４０ｂでは吸込ダクト２４ｂ内の気流による強制対流が抑制されるので、吸込ダクト２４ｂの内壁面１６ｂからのヒートリークが大幅に抑えられる。また、扉２０の内壁面１６ｆに沿って形成された空気断熱層４２ｆでは対流が抑制されるので、扉２０の内壁面１６ｆからのヒートリークが大幅に抑えられる。更に、天井５０の内壁面１６ｔに沿って形成された空気断熱層４０ｔでは対流が抑制されるので、天井５０の内壁面１６ｔからのヒートリークが大幅に抑えられる。また、底部５２の内壁面１６ｘに沿って形成された空気断熱層４２ｘでは対流が抑制されるので、底部５２の内壁面１６ｘからのヒートリークが大幅に抑えられる。そして、側部５４の内壁面１６ｓに沿って空気断熱層４０ｓでは対流が抑制されるので、側部５４の内壁面１６ｓからのヒートリークが大幅に抑えられる。
【００２６】
また、冷気ダクト２４の吹出し口３２は、吹出し口３２からの冷気が内箱１６の内壁（内壁面）に向かわないように配置されている。これにより、内箱１６の内壁からのヒートリークを更に抑えることができる。
【００２７】
また、空気断熱層が内箱の複数の部位にそれぞれ形成されてなる複数の層で構成されるように、断熱層形成部材が複数配置されている。これにより、内箱１６からのヒートリークを効果的に抑えることができる。
【００２８】
なお、内箱１６と外箱１４との間に真空断熱材６８（図２、図３参照）が設けられ、真空断熱材６８が設けられた内箱部分との間に空気断熱層４０ｓが形成されるように断熱層形成部材４２ｓが設けられていてもよい。これにより、内箱１６から外箱１４へのヒートリークを更に効果的に抑えることができる。また、真空断熱材の配置は１箇所に限られずに複数個所であってもよく、真空断熱材の各配置箇所に応じて空気断熱層が形成されていてもよい。
【００２９】
また、図２に示すように、横方向（水平方向）に沿って設けられた、固定部材４４と同様の固定部材７４や区分け部材４６と同様の区分け部材７６が配置されてもよい。これにより、空気断熱層４０ｓ内での気流発生を更に抑えることができるので、内壁面１６ｓからのヒートリークを更に抑えることができる。
【００３０】
また、空気断熱層４０は密閉されていてもよい。これにより、空気断熱層４０で強制対流による気流が生じることを確実に防止することができる。
【００３１】
また、本実施形態では、キャビネット１２内のレイアウトは特に限定しない。上段から冷蔵室、野菜室、庫内設定温度を切り換えることができる切替室、冷凍室が順次に形成されていてもよいし、冷凍室が最上に位置しても中間部に位置してもよい。
【００３２】
また、図３では、冷蔵室１２の前面開口部を覆うために、扉２０として左右一対の扉２０ｐ、２０ｑがそれぞれ左端部、右端部の上下をヒンジ部にて観音開き式に開閉するように取り付けられた図で描いているが、左端部または右端部の一方のみがヒンジなどで取り付けられた１枚の扉が設けられていてもよい。
【００３３】
以上、いくつかの実施形態を説明したが、これらの実施形態は、例として提示したものであり、発明の範囲はそれらに限定することは意図していない。これらの実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００３４】
１０  冷蔵庫
１２  キャビネット
１４  外箱
１６  内箱
１８  断熱材
２０  扉
２４  冷気ダクト
１６ｂ  内壁面
１６ｅ  内壁面
１６ｆ  内壁面
１６ｊ  内壁面
１６ｓ  内壁面
１６ｔ  内壁面
１６ｘ  内壁面
４０ｂ  空気断熱層
４０ｅ  空気断熱層
４０ｆ  空気断熱層
４０ｊ  空気断熱層
４０ｓ  空気断熱層
４０ｔ  空気断熱層
４０ｘ  空気断熱層
４２ｂ  断熱層形成部材
４２ｅ  断熱層形成部材
４２ｆ  断熱層形成部材
４２ｊ  断熱層形成部材
４２ｓ  断熱層形成部材
４２ｔ  断熱層形成部材
４２ｘ  断熱層形成部材
６８  真空断熱材
【図１】
2015114055.tif 000003
【図２】
2015114055.tif 000004
【図３】
2015114055.tif 000005